(57)【要約】【課題】  電柱の立設と同時にアース板の埋設が可能となり、作業が能率的になるとともに、接地抵抗値を十分に下げることができるアース板設置方法およびそれに使用されるアース板装置を提供すること。【解決手段】  アース板１３１，１３２を所定の径で複数回渦巻状に巻回しておき、その巻回されたアース板１３１，１３２の内側に電柱２０の下端部を置き、その状態で巻回されたアース板１３１，１３２を電柱２０に沿ってずり上げることにより、電柱２０の周囲に螺旋状にアース板１３１，１３２を設ける。【選択図】      図１
2006344529.tif 000002
【特許請求の範囲】
【請求項１】
アース板を所定の径で複数回渦巻状に巻回しておき、その巻回されたアース板の内側に電柱の下端部を置き、その状態で渦巻状に巻回されたアース板を電柱に沿ってずり上げることにより、電柱の周囲に螺旋状にアース板を設けることを特徴とするアース板設置方法。
【請求項２】
アース板は巻き始め位置をずらせて複数枚が重ねて渦巻状に巻回されており、そのアース板を電柱に沿ってずり上げることにより、互いにずれた複数枚の螺旋状のアース板を電柱の周囲に設けることを特徴とする請求項１に記載のアース板設置方法。
【請求項３】
アース板の外周端側部分は、アース板をずり上げるための取っ手に固定されることを特徴とする請求項１または２に記載のアース板設置方法。
【請求項４】
アース板の外周端側部分には、電柱への仮止め手段が設けられることを特徴とする請求項１ないし３のいずれかに記載のアース板設置方法。
【請求項５】
アース板には、電柱上からのアース線を接続するための手段が設けられることを特徴とする請求項１ないし４のいずれかに記載のアース板設置方法。
【請求項６】
金属底板上に設けた金属製ガイドの外側にアース板が渦巻状に巻回され、アース板の内周端側部分は前記金属製ガイドに固定され、かつ電気的に接続されることを特徴とする請求項１ないし５のいずれかに記載のアース板設置方法。
【請求項７】
金属底板および金属製ガイドは電柱の下に敷かれてアース板の一部となることを特徴とする請求項１ないし６のいずれかに記載のアース板設置方法。
【請求項８】
金属底板と、
この金属底板上に固定された金属製ガイドと、
この金属製ガイドに内周端側部分が固定され、かつ電気的に接続されて金属製ガイドの外側に複数回渦巻状に巻回されたアース板と
を具備することを特徴とするアース板装置。
【請求項９】
アース板は巻き始め位置をずらせて複数枚が重ねて渦巻状に巻回されることを特徴とする請求項８に記載のアース板装置。
【請求項１０】
アース板の外周端側部分は、アース板をずり上げるための取っ手に固定されることを特徴とする請求項８または９に記載のアース板装置。
【発明の詳細な説明】
【技術分野】
【０００１】
本発明は、電柱部分にアース板を埋設するためのアース板設置方法およびそれに使用されるアース板装置に関する。
【背景技術】
【０００２】
電柱上にトランスなどの機器を設置した場合、該機器は保安上からアースをとらなければならない。その場合、従来は、例えば特許文献１に開示されるように、立設された電柱の傍に、電柱の立設作業とは別に機械を用いてアース棒を埋設している。あるいは、特許文献２に開示されるように、電柱の立設時に、その建て込み用の穴へ、アース板と呼ばれる銅板を埋設することによって行われている。
【特許文献１】特開平１１−９７０８５号公報
【特許文献２】特許第３３９５００５号公報
【発明の開示】
【発明が解決しようとする課題】
【０００３】
しかし、電柱の立設作業とは別にアース棒の埋設作業を行う方法では、アース棒の埋設を含む電柱の立設作業として能率が悪いという問題点があり、また、アース板を電柱の建て込み用の穴へ設置する方法では、穴の底面のみを利用するため接地面積に限りがあり、接地抵抗値を十分下げることができないという問題点があった。
【０００４】
本発明は上記の点に鑑みなされたもので、電柱の立設と同時にアース板の埋設が可能となり、作業が能率的になるとともに、接地抵抗値を十分に下げることができるアース板設置方法およびそれに使用されるアース板装置を提供することを目的とする。
【課題を解決するための手段】
【０００５】
本発明のアース板設置方法は、アース板を所定の径で複数回渦巻状に巻回しておき、その巻回されたアース板の内側に電柱の下端部を置き、その状態で渦巻状に巻回されたアース板を電柱に沿ってずり上げることにより、電柱の周囲に螺旋状にアース板を設けることを特徴とする。
【０００６】
より具体的な形態として、アース板は巻き始め位置をずらせて複数枚が重ねて渦巻状に巻回されており、そのアース板を電柱に沿ってずり上げることにより、互いにずれた複数枚の螺旋状のアース板を電柱の周囲に設ける。また、アース板の外周端側部分は、アース板をずり上げるための取っ手に固定される。さらに、アース板の外周端側部分には、電柱への仮止め手段が設けられる。さらに、アース板には、電柱上からのアース線を接続するための手段が設けられる。さらに、金属底板上に設けた金属製ガイドの外側にアース板が渦巻状に巻回され、アース板の内周端側部分は前記金属製ガイドに固定され、かつ電気的に接続される。さらに、金属底板および金属製ガイドは電柱の下に敷かれてアース板の一部となる。
【０００７】
本発明のアース板装置は、金属底板と、この金属底板上に固定された金属製ガイドと、この金属製ガイドに内周端側部分が固定され、かつ電気的に接続されて金属製ガイドの外側に複数回渦巻状に巻回されたアース板とを具備することを特徴とする。
【０００８】
このアース板装置において、より具体的な形態として、アース板は巻き始め位置をずらせて複数枚が重ねて渦巻状に巻回される。また、アース板の外周端側部分は、アース板をずり上げるための取っ手に固定される。
【発明の効果】
【０００９】
本発明によれば、電柱の周囲に螺旋状にアース板が設けられて、アース板と電柱とが一体化されるので、電柱の立設時に同時にアース板の埋設を行うことができ、作業の能率化を図ることができる。また、螺旋状のアース板によれば、立て込み用の穴の底面のほか、側面についても利用することができ、広い接地面積による接地抵抗の低減が図られる。
【発明を実施するための最良の形態】
【００１０】
次に添付図面を参照して本発明のアース板設置方法およびそれに使用されるアース板装置の実施形態を詳細に説明する。まず本発明の第１実施形態を説明する。本発明の第１実施形態では、図２に全体の斜視図を示し、図３に要部の平面図を示すアース板装置１０が使用される。このアース板装置１０は、銅板からなる金属底板１１を有し、その上に同じく銅板からなる十字状の金属製ガイド１２が固定される。そして、この金属製ガイド１２の外側に所定の径に、銅板からなる帯状の２枚のアース板１３１，１３２が複数回、二重渦巻状（２枚のアース板１３１，１３２を重ねた状態で渦巻状に巻回していく形態）に巻回される。
【００１１】
この２枚のアース板１３１，１３２の内周端側は、図３の黒丸で示すように金属製ガイド１２に固定される。また、２枚のアース板１３１，１３２の巻き始め位置（ただし、この第１実施形態では実際の巻き始め位置ではなく、金属製ガイド１２に対する固定部を除いた部分の図３にａ，ｂで示す巻き始め位置）は１８０°ずらすようにする。一方、２枚のアース板１３１，１３２の外周端側は、互いに反対側に設けた共通の一対の取っ手１４１，１４２に固定される（図３の外側の黒丸参照）。また、図２に示されるように、２枚のアース板１３１，１３２の外周端側部分には、取っ手１４１，１４２に連結して電柱への仮止め手段としての２本のワイヤ１５１，１５２が取付けられる。さらに、アース板１３２の外周端側部分には、電柱上からのアース線をアース板１３１，１３２に接続するための手段として、短い電線１６が予め取付けられる。
【００１２】
本発明の第１実施形態では、このようなアース板装置１０を使用して、電柱の下端側の周囲に螺旋状にアース板を装着することができる。その場合は、まず図１(ａ)に示すように、アース板装置１０を電柱２０の下に置く。このとき、電柱２０の下端部は、渦巻状に巻回されたアース板１３１，１３２の内側に位置させる。次に、その状態で、図１(ｂ)に示すように、取っ手１４１，１４２を持ってアース板１３１，１３２を上方にずり上げる。すると、渦巻状に巻回してあったアース板１３１，１３２は、電柱２０の下に敷かれている金属底板１１、金属製ガイド１２および金属製ガイド１２に固定したアース板１３１，１３２の内周端側部分を固定部として、図４に示すように上方に螺旋状にずり上がり、電柱２０の下端側の周囲に螺旋状のアース板１３１，１３２となって装着される。このとき、２枚のアース板１３１，１３２の巻き始め位置を１８０°ずらしてあったので、互いにずれた２枚の螺旋状のアース板１３１，１３２となって電柱２０の周囲に装着される。その後、アース板１３１，１３２のこのような装着状態を維持させるために、仮止め用のワイヤ１５１，１５２を使用してアース板１３１，１３２を電柱２０に固定する。
【００１３】
そして、このようにしてアース板１３１，１３２と電柱２０とを一体化できたので、本発明の第１実施形態によれば、電柱２０の立設時に同時にアース板１３１，１３２の埋設を行うことができ、作業の能率化を図ることができる。また、螺旋状のアース板１３１，１３２によれば、立て込み用の穴の底面のほか、側面についても利用することができ、広い接地面積による接地抵抗の低減を図ることができる。しかも、上記の第１実施形態では、２枚のアース板１３１，１３２により互いにずれた２枚の螺旋状アース板を同時に形成して、アースを２極同時に並列的にとることができるので、接地抵抗をより下げることができる。
【００１４】
なお、電柱２０の立設後、電柱上からのアース線は、予めアース板１３２に取付けてある電線１６に接続してアース板１３１，１３２に接続される。また、アース板１３１，１３２の内周端側部分（下端側部分）が金属製ガイド１２に固定（電気的に接続）されているので、金属底板１１および金属製ガイド１２は、電柱２０の下に敷かれてアース板の一部となり、さらに接地面積を増やすことができる。
【００１５】
上記の第１実施形態では、２枚のアース板１３１，１３２を使用して２重渦巻状にアース板を巻回したが、図５に示す第２実施形態では４枚のアース板１３１，１３２，１３３，１３４を使用して４重渦巻状すなわち、４枚のアース板１３１〜１３４を重ねた状態で渦巻状に巻回していく形態にアース板が巻回される。このとき、４枚のアース板１３１，１３２，１３３，１３４は、巻き始め位置を９０°ずつずらすようにする。
【００１６】
このように巻回された４枚のアース板１３１，１３２，１３３，１３４を上述した第１実施形態と同様に取っ手１４１，１４２を持ってずり上げると、電柱の周囲に互いにずれて４枚の螺旋状のアース板１３１，１３２，１３３，１３４が形成される。したがって、この第２実施形態によれば、アースを４極同時に並列的にとることができ、上述した第１実施形態より接地抵抗をより下げることができる。
【００１７】
なお、図５の第２実施形態のアース板装置１０は、アース板の枚数以外は図２および図３の第１実施形態のアース板装置１０と同一であり、同一部分には図２および図３と同一符号を付す。すなわち、このアース板装置１０でも金属底板１１、十字状の金属製ガイド１２および取っ手１４１，１４２が設けられ、さらに図示しないが仮止め用のワイヤとアース線接続用の電線が設けられる。
【００１８】
また、アース板は、上記第１、第２実施形態の２枚または４枚に限定されるものではなく、他の枚数とすることができる。例えばアース板を６枚使用して６重渦巻状に巻回しておくことにより、電柱の周囲に６枚の螺旋状アース板を形成することができる。また、底面にお盆状の接地板を追加することにより、さらに接地面積を増やすことも可能である。アース板以外の部分に関しても本発明は上記実施形態に限定されるものではなく、種々の変形例が考えられる。
【図面の簡単な説明】
【００１９】
【図１】本発明によるアース板設置方法の第１実施形態を概略的に示す図。
【図２】本発明の第１実施形態に使用されるアース板装置の全体を示す斜視図。
【図３】図２のアース板装置の要部平面図。
【図４】本発明の第１実施形態によって電柱の下端側周囲にアース板を装着した状態を示す側面図。
【図５】本発明の第２実施形態に使用されるアース板装置の要部平面図。
【符号の説明】
【００２０】
１０  アース板装置
１１  金属底板
１２  金属製ガイド
１３１〜１３４  アース板
１４１，１４２  取っ手
１５１，１５２  ワイヤ
１６  電線
２０  電柱
【図１】
2006344529.tif 000003
【図２】
2006344529.tif 000004
【図３】
2006344529.tif 000005
【図４】
2006344529.tif 000006
【図５】
2006344529.tif 000007